【手続補正書】
【提出日】平成20年6月2日(2008.6.2)
【手続補正１】
【補正対象書類名】明細書
【補正対象項目名】特許請求の範囲
【補正方法】変更
【補正の内容】
【特許請求の範囲】
【請求項１】  患者の皮膚表面を伸張するための装置であって、該装置は、
患者の皮膚に接触するための医療装置と、
前記医療装置に患者の皮膚に向かって下向きの圧力が加えられると前記医療装置から遠ざかる方に患者の皮膚を伸張させるために、前記医療装置に結合されており、かつ前記医療装置を超えて延びている皮膚伸張装置と、
を備えることを特徴とする患者の皮膚表面を伸張するための装置。
【請求項２】  前記医療装置は、監視、試料採取、又は送達装置であることを特徴とする請求項１に記載の患者の皮膚表面を伸張するための装置。
【請求項３】  前記皮膚伸張装置は、前記医療装置に結合されている遮蔽体を備え、前記遮蔽体は、前記医療装置に結合されている第１の端部及び前記医療装置から半径方向外向きに位置決めされている第２の端部を有し、前記遮蔽体は、前記医療装置に対して傾斜して延びることを特徴とする請求項１に記載の患者の皮膚表面を伸張するための装置。
【請求項４】  前記遮蔽体は、前記医療装置を取り囲み、実質的に円錐台形状であることを特徴とする請求項３に記載の患者の皮膚表面を伸張するための装置。
【請求項５】  前記遮蔽体は、可撓性材料で作られており、前記遮蔽体の前記第２の端部は、第１の位置から、前記第１の位置から半径方向外向きに間隔をあけた第２の位置まで移動可能であることを特徴とする請求項４に記載の患者の皮膚表面を伸張するための装置。
【請求項６】  前記遮蔽体は、第１の位置にある場合に前記医療装置から軸線方向及び半径方向に間隔をあけて配置されており、前記第２の端部は、前記第１の位置から半径方向外向きに間隔をあけた第２の位置まで移動可能であることを特徴とする請求項４に記載の患者の皮膚表面を伸張するための装置。
【請求項７】  前記遮蔽体は、前記医療装置を超えて延び、それによって前記医療装置が皮膚に接触する前に、前記遮蔽体の前記第２の端部が患者の皮膚に接触する長さを有することを特徴とする請求項３に記載の患者の皮膚表面を伸張するための装置。
【請求項８】  前記遮蔽体の前記第２の端部は、患者の皮膚に対する前記遮蔽体にかかる圧力により、前記医療装置から半径方向外向きに移動可能であることを特徴とする請求項７に記載の患者の皮膚表面を伸張するための装置。
【請求項９】  前記遮蔽体の前記第２の端部が、前記遮蔽体と患者の皮膚との間の摩擦を強化するための摩擦強化部材を備えることを特徴とする請求項３に記載の患者の皮膚表面を伸張するための装置。
【請求項１０】  前記摩擦強化部材は、前記遮蔽体上の接着剤であることを特徴とする請求項９に記載の患者の皮膚表面を伸張するための装置。
【請求項１１】  前記摩擦強化部材は、前記第２の端部の隆起部であることを特徴とする請求項９に記載の患者の皮膚表面を伸張するための装置。
【請求項１２】  前記医療装置は、少なくとも１つの中実又は中空の皮膚穿通部材を備えることを特徴とする請求項１に記載の患者の皮膚表面を伸張するための装置。
【請求項１３】  前記医療装置は、患者の皮膚を穿通するための顕微針アレイを備えることを特徴とする請求項１に記載の患者の皮膚表面を伸張するための装置。
【請求項１４】  前記顕微針は、前記顕微針を通って軸線方向に延びる中空通路を備えることを特徴とする請求項１３に記載の患者の皮膚表面を伸張するための装置。
【請求項１５】  前記送達装置は、少なくとも１つの皮膚穿通部材及び前記少なくとも１つの皮膚穿通部材に物質を導くためのキャビティを備えることを特徴とする請求項１４に記載の患者の皮膚表面を伸張するための装置。
【請求項１６】  前記少なくとも１つの皮膚穿通部材は、乾燥又は凍結乾燥薬物の被覆を有することを特徴とする請求項１２に記載の患者の皮膚表面を伸張するための装置。
【請求項１７】  前記伸張装置は、患者の皮膚に接触し、少なくとも１次元方向に皮膚を伸張するための少なくとも２つのアームを備え、前記アームは、前記医療装置に結合されている第１の端部及び前記医療装置から間隔をあけて配置される第２の端部を有し、前記アームは、前記第２の端部が前記医療装置から軸線方向及び半径方向に間隔をあけて配置される第１の位置から、前記第２の端部が前記医療装置から半径方向に間隔をあけて配置され、前記医療装置と同一平面上にある第２の位置まで移動可能であることを特徴とする請求項１に記載の患者の皮膚表面を伸張するための装置。
【請求項１８】  前記アームは、可撓性材料で作られており、前記第１の位置から前記第２の位置まで撓むことができることを特徴とする請求項１７に記載の患者の皮膚表面を伸張するための装置。
【請求項１９】  前記アームは、１次元方向に皮膚を伸張するために前記医療装置の反対側から延びることを特徴とする請求項１７に記載の患者の皮膚表面を伸張するための装置。
【請求項２０】  前記伸張装置は、前記医療装置の周りに実質的に均等に間隔をあけて配置される４つのアームを備えることを特徴とする請求項１７に記載の患者の皮膚表面を伸張するための装置。
【請求項２１】  患者の皮内に物質を送達するための少なくとも１つの皮膚穿通部材を支持するハウジングと、
患者の皮膚を少なくとも１次元方向に伸張するために、前記ハウジングに結合されており、かつ前記少なくとも１つの皮膚穿通部材を越えて延びている伸張装置と、
を備える、患者の皮膚を通して物質の抜き取り、送達し、又は監視するための装置であって、
前記伸張装置は、前記装置に結合されている第１の端部と、前記ハウジング及び前記少なくとも１つの皮膚穿通部材から軸線方向に間隔をあけて配置される第２の端部とを備える少なくとも１つの部材を有し、該少なくとも１つの部材は、患者の皮膚に接触して前記少なくとも１次元方向に伸張して、前記穿通部材による皮膚の穿通を助けるように位置決めされていることを特徴とする患者の皮膚を通して物質の抜き取り、送達し、又は監視するための装置。
【請求項２２】  前記伸張装置は、前記ハウジングに結合されている第１の端部及び前記ハウジングから軸線方向及び半径方向に延びる第２の端部を有する、実質的に円錐台形状の遮蔽体を備え、前記第２の端部は、前記ハウジングから軸線方向に間隔をあけて配置されることを特徴とする請求項２１に記載の患者の皮膚を通して物質の抜き取り、送達し、又は監視するための装置。
【請求項２３】  前記遮蔽体は、可撓性材料で作られており、前記遮蔽体の前記第２の端部は、第１の位置から、前記第１の位置から半径方向外向きに間隔をあけた第２の位置まで移動可能であることを特徴とする請求項２２に記載の患者の皮膚を通して物質の抜き取り、送達し、又は監視するための装置。
【請求項２４】  前記遮蔽体の前記第２の端部は、摩擦強化部材を備えることを特徴とする請求項２２に記載の患者の皮膚を通して物質の抜き取り、送達し、又は監視するための装置。
【請求項２５】  前記摩擦強化部材は、接着剤であることを特徴とする請求項２２に記載の患者の皮膚を通して物質の抜き取り、送達し、又は監視するための装置。
【請求項２６】  前記摩擦強化部材は、隆起部であることを特徴とする請求項２２に記載の患者の皮膚を通して物質の抜き取り、送達し、又は監視するための装置。
【請求項２７】  前記伸張装置は、少なくとも２つの可撓性アームを備え、前記アームが、前記ハウジングに結合されている第１の端部及び前記ハウジングから分岐する第２の端部を有し、前記アームは、前記第２の端部が前記カニューレから軸線方向及び半径方向に間隔をあけて配置され、前記アームの前記第２の端部が、前記カニューレから間隔をあけた平面内の第１の位置から、前記カニューレと同一平面上にある第２の位置まで移動可能である長さを有することを特徴とする請求項２１に記載の患者の皮膚を通して物質の抜き取り、送達し、又は監視するための装置。
【請求項２８】  前記伸張装置は、２つの前記アームを備え、前記アームの各々は、前記ハウジングの両側に間隔をあけて配置されることを特徴とする請求項２７に記載の患者の皮膚を通して物質の抜き取り、送達し、又は監視するための装置。
【請求項２９】  前記伸張装置は、４つの前記アームを備え、前記アームの各々は、前記ハウジングの周りに実質的に均等に間隔をあけて配置されることを特徴とする請求項２７に記載の患者の皮膚を通して物質の抜き取り、送達し、又は監視するための装置。